(57)【要約】【課題】電源スイッチのオンから起動完了するまでの時間を短縮させたディスク再生装置を提供する。【解決手段】本体の電源スイッチがオフの状態であっても、ディスク状記録媒体の交換が検出された場合はディスクの管理データを読み出してバッファメモリに記憶し、次回電源オン時はディスク状記録媒体にアクセスせずにバッファメモリから管理データを読み出す。【選択図】      図１
2006120304.tif 000002
【特許請求の範囲】
【請求項１】
電源スイッチと、
着脱可能なディスク状記録媒体に対して情報データの書き込み及び読み出しを行うディスクドライブと、
前記ディスク状記録媒体の装着を検知する検知手段と、
前記ディスク状記録媒体から読み出した該ディスク状記録媒体の管理データを記憶可能な記憶手段と、
前記電源スイッチがオフの状態において前記検知手段により前記ディスク状記録媒体の装着が検知されたことに応答して、前記ディスク状記録媒体の管理データを読み出して前記記憶手段に記憶させるように前記ディスクドライブと前記記憶手段とを制御すると共に、前記記憶デバイスに記憶された管理データに基づいて前記ディスク状記録媒体に対する前記情報データの書き込みが可能であるか否かを判別する制御手段と、
を具備することを特徴とするデータ処理装置。
【請求項２】
警告手段をさらに具備し、前記制御手段は、前記ディスク状記録媒体から前記管理データを読み出している間、前記警告手段を制御して前記ディスク状記録媒体からのデータの読み出し中であることを報知することを特徴とする請求項１に記載のデータ処理装置。
【請求項３】
警告手段をさらに具備し、前記制御手段は更に、前記記憶デバイスに記憶された管理データに基づいて前記ディスクドライブに装着されたディスク状記録媒体が前記管理データの読み出しが行なえないディスク状記録媒体であるか否かを判別し、前記管理データの読み出しが行なえないディスク状記録媒体であった場合に、その旨を前記警告手段により報知することを特徴とする請求項１に記載のデータ処理装置。
【請求項４】
警告手段をさらに具備し、前記制御手段は、前記ディスクドライブに装着されたディスク状記録媒体に対する前記情報データの書き込みが不能であると判定した場合、その旨を前記警告手段により報知することを特徴とする請求項１に記載のデータ処理装置。
【請求項５】
前記電源スイッチのオン操作に応じて電力を供給する電力供給デバイスを備え、
前記制御手段は、前記電源スイッチがオフの状態における検知デバイスの出力に応じて電力供給を開始し、前記記憶デバイスに対する前記管理データの記憶が完了したことに応じて電力供給を停止するよう、前記電力供給デバイスを制御することを特徴とする請求項１記載のデータ処理装置
【請求項６】
警告デバイスを備え、
前記制御手段は、前記ディスクドライブに装着されたディスク状記録媒体に対する前記情報データの書き込みが不能であると判定した場合、前記電力供給を停止する前に、前記警告手段により書き込み不能ディスクであることを報知することを特徴とする請求項５に記載のデータ処理装置。
【請求項７】
警告手段をさらに具備し、前記制御手段は、前記電源スイッチがオンされたことに応じて、前記記憶手段に記憶されている管理データに基づいて前記ディスク状記録媒体に対する前記情報データの書き込みが可能か否かを判別し、書き込み不能なディスク状記録媒体であると判定された場合に、その旨を前記警告手段により報知することを特徴とする請求項１に記載のデータ処理装置。
【請求項８】
前記ディスク状記録媒体より再生された情報データに係る画像を表示する表示デバイスを備え、前記警告手段は、前記表示デバイスに対して文字情報を表示することにより、警告を使用者に報知することを特徴とする請求項２に記載のデータ処理装置。
【請求項９】
前記記録再生手段は、前記ディスク状記録媒体に対して光ビームを照射して前記情報データの書き込み及び読み出しを行うピックアップユニットを有し、
前記制御手段は前記記録再生手段を制御して前記光ビームのパワーを調整するビームパワー調整処理を実行することを特徴とする請求項１記載のデータ処理装置。
【請求項１０】
前記制御手段は、前記電源スイッチのオン操作に応じて前記ビームパワー調整処理を実行し、前記電源スイッチのオフの状態において前記検知手段により前記ディスク状記録媒体の装着が検知された場合には前記ビームパワー調整処理の実行を停止することを特徴とする請求項９記載のデータ処理装置。
【請求項１１】
電源スイッチと、
電力供給デバイスと、
着脱可能なディスク状記録媒体に対して情報データの書き込み及び読み出しを行うディスクドライブと、
前記ディスク状記録媒体の装着を検知する検知手段と、
前記ディスク状記録媒体から読み出した該ディスク状記録媒体の管理データを記憶可能な記憶手段と、
前記電源スイッチがオフの状態において前記検知手段により前記ディスク状記録媒体の装着が検知されたことに応答して電力供給を開始すると共に、前記ディスク状記録媒体の管理データを読み出して前記記憶手段に記憶させるように前記電力供給デバイス、前記ディスクドライブ及び前記記憶手段とを制御する制御手段とを具備し、
前記制御手段は、前記ディスク状記録媒体からの管理データの読み出し途中で、前記電力供給デバイスによる電力供給一度遮断され、その後再び電力供給が開始された場合、電力供給の遮断時までに読み出して前記記憶手段に保持されている管理データの続きから、管理データの読み出しを再開することを特徴とするデータ処理装置。
【請求項１２】
前記電源スイッチがオフの状態で前記ディスク状記録媒体からの管理データの読み出しを行なっている途中で、前記電源スイッチがオンされた場合、前記ディスク状記録媒体からの管理データの読み出しを継続することを特徴とする請求項１に記載のデータ処理装置。
【請求項１３】
電源スイッチと、着脱可能なディスク状記録媒体に対して情報データの書き込み及び読み出しを行なうディスクドライブと、前記ディスク状記録媒体の装着を検知する検知手段と、前記ディスク状記録媒体から読み出した該ディスク状記録媒体の管理データを記憶可能な記憶手段とを備えるデータ処理装置を制御する方法であって、
前記電源スイッチがオフの状態において前記検知手段により前記ディスク状記録媒体の装着が検知されたことに応答して、前記ディスク状記録媒体の管理データを読み出して前記記憶手段に記憶させるように前記ディスクドライブと前記記憶手段とを制御すると共に、前記記憶デバイスに記憶された管理データに基づいて前記ディスク状記録媒体に対する前記情報データの書き込みが可能であるか否かを判別することを特徴とするデータ処理装置の制御方法。
【請求項１４】
前記データ処理装置は警告手段をさらに具備し、前記ディスク状記録媒体から前記管理データを読み出している間、前記警告手段を制御して前記ディスク状記録媒体からのデータの読み出し中であることを報知することを特徴とする請求項１３に記載のデータ処理装置の制御方法。
【請求項１５】
前記データ処理装置は警告手段をさらに具備し、前記記憶デバイスに記憶された管理データに基づいて前記ディスクドライブに装着されたディスク状記録媒体が前記管理データの読み出しが行なえないディスク状記録媒体であるか否かを判別し、前記管理データの読み出しが行なえないディスク状記録媒体であった場合に、その旨を前記警告手段により報知することを特徴とする請求項１３に記載のデータ処理装置の制御方法。
【請求項１６】
前記データ処理装置は警告手段をさらに具備し、前記ディスクドライブに装着されたディスク状記録媒体に対する前記情報データの書き込みが不能であると判定した場合、その旨を前記警告手段により報知することを特徴とする請求項１３に記載のデータ処理装置の制御方法。
【請求項１７】
前記データ処理装置は前記電源スイッチのオン操作に応じて電力を供給する電力供給デバイスを備え、前記電源スイッチがオフの状態における検知デバイスの出力に応じて電力供給を開始し、前記記憶デバイスに対する前記管理データの記憶が完了したことに応じて電力供給を停止するよう、前記電力供給デバイスを制御することを特徴とする請求項１３記載のデータ処理装置の制御方法。
【請求項１８】
前記データ処理装置は警告デバイスを備え、前記ディスクドライブに装着されたディスク状記録媒体に対する前記情報データの書き込みが不能であると判定した場合、前記電力供給を停止する前に、前記警告手段により書き込み不能ディスクであることを報知することを特徴とする請求項１７に記載のデータ処理装置の制御方法。
【請求項１９】
前記データ処理装置は警告手段をさらに具備し、前記電源スイッチがオンされたことに応じて、前記記憶手段に記憶されている管理データに基づいて前記ディスク状記録媒体に対する前記情報データの書き込みが可能か否かを判別し、書き込み可能なディスク状記録媒体であると判定された場合に、その旨を前記警告手段により報知することを特徴とする請求項１３に記載のデータ処理装置の制御方法。
【請求項２０】
前記記録再生手段は、前記ディスク状記録媒体に対して光ビームを照射して前記情報データの書き込み及び読み出しを行うピックアップユニットを有し、前記記録再生手段を制御して前記光ビームのパワーを調整するビームパワー調整処理を実行することを特徴とする請求項１３記載のデータ処理装置の制御方法。
【請求項２１】
前記電源スイッチのオン操作に応じて前記ビームパワー調整処理を実行し、前記電源スイッチのオフの状態において前記検知手段により前記ディスク状記録媒体の装着が検知された場合には前記ビームパワー調整処理の実行を停止することを特徴とする請求項２０記載のデータ処理装置の制御方法。
【請求項２２】
電源スイッチと、電力供給デバイスと、着脱可能なディスク状記録媒体に対して情報データの書き込み及び読み出しを行うディスクドライブと、前記ディスク状記録媒体の装着を検知する検知手段と、前記ディスク状記録媒体から読み出した該ディスク状記録媒体の管理データを記憶可能な記憶手段とを備えるデータ処理装置を制御する方法であって、
前記電源スイッチがオフの状態において前記検知手段により前記ディスク状記録媒体の装着が検知されたことに応答して電力供給を開始すると共に、前記ディスク状記録媒体の管理データを読み出して前記記憶手段に記憶させるように前記電力供給デバイス、前記ディスクドライブ及び前記記憶手段とを制御し、前記ディスク状記録媒体からの管理データの読み出し途中で、前記電力供給デバイスによる電力供給一度遮断され、その後再び電力供給が開始された場合、電力供給の遮断時までに読み出して前記記憶手段に保持されている管理データの続きから、管理データの読み出しを再開することを特徴とするデータ処理装置の制御方法。
【請求項２３】
前記電源スイッチがオフの状態で前記ディスク状記録媒体からの管理データの読み出しを行なっている途中で、前記電源スイッチがオンされた場合、前記ディスク状記録媒体からの管理データの読み出しを継続することを特徴とする請求項１３に記載のデータ処理装置の制御方法。
【請求項２４】
請求項１３に記載の制御方法をコンピュータに実行させることを特徴とするプログラム。
【請求項２５】
請求項２４に記載のプログラムをコンピュータ読み取り可能に記憶したことを特徴とする記憶媒体。
【発明の詳細な説明】
【技術分野】
【０００１】
本発明は、着脱可能なディスク状記録媒体からデータを少なくとも読み出すことが可能なデータ処理装置に関するものである。
【背景技術】
【０００２】
従来より、撮影した画像データをディスク媒体に記録するディスクビデオカメラが知られている。この様なディスクビデオカメラにおいては、ディスク上に記録されているデータを管理するための管理情報に従ってデータの記録、再生を行うため、ディスクが交換された際には、まず、この管理情報を再生する必要がある。また、ディスク交換時には、レーザパワーの調整処理なども併せて実行される。
【０００３】
しかし、一般にディスクへのアクセスは遅く、装着されているディスクから管理データを読み出すことに時間がかかってしまう。また、レーザパワーを調整するためには、ディスク上に複数段階の異なるレーザパワーで所定の基準データを書き込んだ後、このデータを読み出し、読み出したデータの状態によって最適なレーザパワー値を決定する。そのため、起動時間が長く、なかなか使用可能状態にならないという問題があった。
【０００４】
そのため、例えば特開平８−１５３０４０号公報（特許文献１）には、ディスクの管理情報を本体メモリに記憶しておき、装着されたディスクの管理情報が本体メモリに記憶されていた場合にはディスクからの管理情報の読み出しを行わず、メモリに記憶された管理情報を用いることで、ディスクから管理情報を読み出す動作を省略し、起動時間を短縮することが開示されている。
【特許文献１】特開平８−１５３０４０号公報
【発明の開示】
【発明が解決しようとする課題】
【０００５】
しかしながら、前述の特許文献１に記載の装置であっても、交換されたディスクの管理情報がメモリに保存されていない場合にはやはり管理情報の読み出しを実行する必要があり、同様に時間がかかる。
【０００６】
また、ビデオカメラでは、旅行先などでの撮影のため、予めディスクを交換することもしばしば行われるが、前述の特許文献１に記載の装置では電源が投入されていない状態ではディスクの交換ができず、電源が投入された状態でディスクを交換しなければならない。電源オフの状態から電源を投入すると、その時点で装着されているディスクに関する管理情報の読み出し後、ディスクの交換が可能となるため、やはり、記録可能な状態となるまでに相当な時間がかかってしまう。
【０００７】
従って、本発明は上述した課題に鑑みてなされたものであり、その目的は、ディスク状記録媒体を交換した際にも電源投入後の起動時間を短くし、迅速に記録可能な状態にできるようにすることである。
【課題を解決するための手段】
【０００８】
上述した課題を解決し、目的を達成するために、本発明に係わるデータ処理装置は、電源スイッチと、着脱可能なディスク状記録媒体に対して情報データの書き込み及び読み出しを行うディスクドライブと、前記ディスク状記録媒体の装着を検知する検知手段と、
前記ディスク状記録媒体から読み出した該ディスク状記録媒体の管理データを記憶可能な記憶手段と、前記電源スイッチがオフの状態において前記検知手段により前記ディスク状記録媒体の装着が検知されたことに応答して、前記ディスク状記録媒体の管理データを読み出して前記記憶手段に記憶させるように前記ディスクドライブと前記記憶手段とを制御すると共に、前記記憶デバイスに記憶された管理データに基づいて前記ディスク状記録媒体に対する前記情報データの書き込みが可能であるか否かを判別する制御手段と、を具備することを特徴とする。
【０００９】
また、本発明に係わるデータ処理装置は、電源スイッチと、電力供給デバイスと、着脱可能なディスク状記録媒体に対して情報データの書き込み及び読み出しを行うディスクドライブと、前記ディスク状記録媒体の装着を検知する検知手段と、前記ディスク状記録媒体から読み出した該ディスク状記録媒体の管理データを記憶可能な記憶手段と、前記電源スイッチがオフの状態において前記検知手段により前記ディスク状記録媒体の装着が検知されたことに応答して電力供給を開始すると共に、前記ディスク状記録媒体の管理データを読み出して前記記憶手段に記憶させるように前記電力供給デバイス、前記ディスクドライブ及び前記記憶手段とを制御する制御手段とを具備し、前記制御手段は、前記ディスク状記録媒体からの管理データの読み出し途中で、前記電力供給デバイスによる電力供給一度遮断され、その後再び電力供給が開始された場合、電力供給の遮断時までに読み出して前記記憶手段に保持されている管理データの続きから、管理データの読み出しを再開することを特徴とする。
【００１０】
また、本発明に係わるデータ処理装置の制御方法は、電源スイッチと、着脱可能なディスク状記録媒体に対して情報データの書き込み及び読み出しを行なうディスクドライブと、前記ディスク状記録媒体の装着を検知する検知手段と、前記ディスク状記録媒体から読み出した該ディスク状記録媒体の管理データを記憶可能な記憶手段とを備えるデータ処理装置を制御する方法であって、前記電源スイッチがオフの状態において前記検知手段により前記ディスク状記録媒体の装着が検知されたことに応答して、前記ディスク状記録媒体の管理データを読み出して前記記憶手段に記憶させるように前記ディスクドライブと前記記憶手段とを制御すると共に、前記記憶デバイスに記憶された管理データに基づいて前記ディスク状記録媒体に対する前記情報データの書き込みが可能であるか否かを判別することを特徴とする。
【００１１】
また、本発明に係わるデータ処理装置の制御方法は、電源スイッチと、電力供給デバイスと、着脱可能なディスク状記録媒体に対して情報データの書き込み及び読み出しを行うディスクドライブと、前記ディスク状記録媒体の装着を検知する検知手段と、前記ディスク状記録媒体から読み出した該ディスク状記録媒体の管理データを記憶可能な記憶手段とを備えるデータ処理装置を制御する方法であって、前記電源スイッチがオフの状態において前記検知手段により前記ディスク状記録媒体の装着が検知されたことに応答して電力供給を開始すると共に、前記ディスク状記録媒体の管理データを読み出して前記記憶手段に記憶させるように前記電力供給デバイス、前記ディスクドライブ及び前記記憶手段とを制御し、前記ディスク状記録媒体からの管理データの読み出し途中で、前記電力供給デバイスによる電力供給一度遮断され、その後再び電力供給が開始された場合、電力供給の遮断時までに読み出して前記記憶手段に保持されている管理データの続きから、管理データの読み出しを再開することを特徴とする。
【００１２】
また、本発明に係わるプログラムは、上記の制御方法をコンピュータに実行させることを特徴とする。
【００１３】
また、本発明に係わる記憶媒体は、上記のプログラムをコンピュータ読み取り可能に記憶したことを特徴とする。
【発明の効果】
【００１４】
本発明によれば、ディスク状記録媒体を交換した際にも電源投入後の起動時間を短くし、迅速に記録可能な状態にすることが可能となる。
【発明を実施するための最良の形態】
【００１５】
以下、本発明の一実施形態について、図面を参照して詳細に説明する。
【００１６】
図１は、本発明をディスクカムコーダに適用した一実施形態の概略構成を示すブロック図である。
【００１７】
１０１は、各部の動作を制御するＣＰＵである。なお、ＣＰＵ１０１は、後述する電源ＳＷ（電源スイッチ）がオフの状態であっても給電されていて動作をすることが可能である。
【００１８】
１０２は、ＣＰＵ１０１や後述する信号処理部及びデータ処理部がワーキングエリアとして使用するＲＡＭである。また、後述するディスク状記録媒体から読み出された管理データやアドレスを記憶するバッファメモリとしても使用される。
【００１９】
１０３は、本体の電源のオン／オフを行う電源ＳＷ（電源スイッチ）や記録トリガ、再生スイッチなど、各種のスイッチを含む操作スイッチである。具体的には、機械的スイッチ、タッチパネル等により構成される。また、公知のリモートコントロールユニットなども含む。
【００２０】
電源ＳＷがオフの状態では、ＣＰＵ１０１は後述するＤＣ／ＤＣコンバータをコントロールし、ＣＰＵ１０１及び後述するディスク交換検出部１１１のみに電力を供給させパワーオフモードにする。言い換えると、電源ＳＷがオフであっても、ＣＰＵ１０１及びディスク交換検出部１１１には常に給電がなされている。また、電源ＳＷがオンにされると、ＣＰＵ１０１は後述するＤＣ／ＤＣコンバータをコントロールし、後述するビデオ／オーディオデータ処理部、表示部、スピーカー部、ディスク装置の各ブロックへも電力を供給させ、ディスクカムコーダを起動させる。
【００２１】
１０４は、記録時においてはカメラ部１２０からの画像データとマイク１２１からの音声データをそれぞれ符号化してディスク信号処理部１１４に出力し、再生時には、ディスク信号処理部１１４から入力されたストリームデータを、画像（ビデオ）データ及び音声（オーディオ）データに分離し、それぞれのデコードを行うビデオ／オーディオデータ処理部である。
【００２２】
１０５は、液晶ディスプレイ等により構成され、ビデオ／オーディオデータ処理部１０４から入力されたビデオデータの表示を行う表示部である。また、さまざまなメニュー情報等の表示にも使用される。
【００２３】
１０６は、ビデオ／オーディオデータ処理部１０４から入力されたオーディオデータを、Ｄ／Ａ変換して出力を行うスピーカー部である。また、各種操作音や警告音等の出力にも使用される。
【００２４】
１０７は、複数種類のディスク状記録媒体を処理するディスク装置（ディスクドライブ）である。
【００２５】
１０８は、ディスク装置１０７に装着可能なディスク状記録媒体（以下ディスクとも言う）である。ディスクの種類は繰り返しデータの記録が可能なＤＶＤ−ＲＷ、追記型ディスクであるＤＶＤ−Ｒなどが考えられるが、特にこれらに限定されるものではない。
【００２６】
１０９は、ディスク装置１０７に装着されたディスク状記録媒体１０８を回転させるためのディスクモータである。
【００２７】
１１０は、ディスク状記録媒体１０８に対して光りビームを照射して信号の書き込み、読み取りを行うピックアップヘッドと、このピックアップヘッドをディスク状記録媒体１０８の半径方向に移動させるモータで構成されるピックアップ部である。また、図示はしていないが、ピックアップヘッドにはレンズを移動させるトラッキング機構、およびフォーカス機構が設けられている。
【００２８】
また、ＣＰＵ１０１は、制御部１１３、ディスク信号処理部１１４を制御することによりピックアップユニット１１０を制御して、光ビームのパワーを最適なパワーに調整するビームパワー調整処理を行う。具体的には、光ビームのパワーを変えながら所定のデータをディスク１０８上に記録する。そして、これを読み取り、読み取ったデータの状態に従って最適なパワーを決定する。本実施形態では、電源ＳＷの投入時、及び、電源オン状態でディスク１０８が新たに装着された時にこのビームパワー調整処理を実行する。
【００２９】
１１１は、電源ＳＷ１０３がオフの状態であっても、ディスク装置１０７に装着されるディスク状記録媒体１０８が交換されたかどうかを検出するとともに、ＣＰＵ１０１に検出結果を伝えることが可能なディスク交換検出部である。なお、ディスク交換の検出方法は、ディスク蓋の開閉を検出する方法でもよいし、ディスク固定部に対してディスク状記録媒体１０８が着脱されたかを検出する方法でもよい。
【００３０】
１１２は、ピックアップ部１１０で読み出された信号を増幅して、後述するディスク信号処理部へ出力するＲＦアンプである。
【００３１】
１１３は、ＣＰＵ１０１からのコントロール信号によって、ディスクモータ１０９、およびピックアップ部１１０を駆動させる制御部である。
【００３２】
１１４は、記録時にはビデオ／オーディオデータ処理部１０４からの符号化された画像、音声データ及びその他の付加データなどを多重し、誤り訂正符号化処理など必要な処理を施してピックアップユニット１１０に出力し、再生時にはＲＦアンプ１１２から入力された再生信号の復調を行い、誤り訂正をして、ビデオ／オーディオデータ処理部１０４へストリームデータを出力するディスク信号処理部である。
【００３３】
１１５は、ＣＰＵ１０１からのコントロールによって、点灯、点滅、消灯を行えるＬＥＤである。
【００３４】
１１６は、本体に着脱可能なバッテリーである。
【００３５】
１１７は、使用者がバッテリー１１６を取り外す時に押下する、バッテリー取り外しボタンである。
【００３６】
１１８は、液晶ディスプレイ等により構成され、警告等の文字表示を行う表示部である。
【００３７】
１１９は、図示はしていないが上記の各ブロックと接続されており、ＣＰＵ１０１からのコントロールによって各ブロックへ別々に電力の供給を行うことが可能なＤＣ／ＤＣコンバータである。
【００３８】
１２０は被写体を撮影して画像データを出力するカメラ部、１２１は音声データを出力するマイクである。
【００３９】
次に図２に基づいて、本実施形態のディスクカムコーダ１００で、本体の電源ＳＷがオフの状態でディスク状記録媒体が交換された場合の、ディスク状記録媒体からの管理データの読み出し、および更新動作について説明する。
【００４０】
[ステップＳ２０１]：電源ＳＷがオフであり、ＣＰＵ１０１とディスク交換検出部１１１のみに電力が供給されている状態で、使用者によってディスク状記録媒体１０８が交換されると、ディスク交換検出部１１１はＣＰＵ１０１にディスク状記録媒体１０８が交換されたことを伝える。
【００４１】
[ステップＳ２０２]：ディスク状記録媒体１０８の交換を伝えられたＣＰＵ１０１は、ＤＣ／ＤＣコンバータ１１９をコントロールし、ディスク状記録媒体１０８から管理データを読み出すために必要最低限なブロック(ディスク装置１０７等)に電力を供給させ、ディスク装置１０７等を起動させる。
【００４２】
[ステップＳ２０３]：ディスク状記録媒体１０８にアクセスしていることを使用者に知らせるために、警告を出す。なお、警告の方法は、ＬＥＤ１１５を使用したものでもよいし、表示部１１８に文字表示をして行ってもよい。また、スピーカー部１０６を使用した音によるものでもよい。更に、上記の組み合わせで警告を行うことも可能である。
【００４３】
[ステップＳ２０４]：ＣＰＵ１０１によってＲＡＭ１０２内に用意した管理データ読み出し完了フラグがクリアされ、ディスク状記録媒体１０８から管理データの読み出しが開始される。
【００４４】
[ステップＳ２０５]：ピックアップ部１１０によりディスク状記録媒体１０８から読み出された信号は、ＲＦアンプ１１２で増幅されディスク信号処理部１１４へ送られる。ディスク信号処理部１１４では、受け取った信号を復調し、誤り訂正を行う。なお、ディスク状記録媒体から信号を読み出す動作については公知であるため、ここでは説明を省略する。
【００４５】
読み出された管理データと現在読み出しているアドレスをＲＡＭ１０２に記憶する。なお、アドレスは最新データのみを記憶更新する。
【００４６】
ディスク状記録媒体１０８から当該ディスクの管理データの読み出しが終了したら[ステップＳ２０６]へ遷移する。
【００４７】
[ステップＳ２０６]：ＣＰＵ１０１によって管理データの読み出し完了を示すフラグがセットされる。
【００４８】
[ステップＳ２０７]：ＣＰＵ１０１はディスク状記録媒体１０８から管理データを読み出すために必要だったブロック(ディスク装置１０７等)を終了させ、ＤＣ／ＤＣコンバータ１１９をコントロールしてディスク装置１０７等への電力の供給を終了させ、通常のパワーオフモードへ戻す。このとき、本実施形態では、光ビームのパワー調整の処理は行わない。
【００４９】
以上のように、ディスクカムコーダの電源ＳＷがオフの状態であっても、ディスクの交換がされた場合は当該ディスクの管理データを読み出し、バッファメモリに記憶することによって、次回使用者が電源ＳＷをオンにした時にディスク状記録媒体の解析動作に時間がかかってしまって、すぐに使用できないという問題点を解消することができる。
【００５０】
次に図３に本実施形態のディスクカムコーダ１００の背面図を示し、本体の電源ＳＷがオフの状態でディスク状記録媒体が交換された場合の、ディスクアクセス中警告の例を説明する。
【００５１】
１１６は、本体に着脱可能なバッテッリーである。
【００５２】
１１５は、ＣＰＵ１０１によってコントロールされるＬＥＤである。
【００５３】
ディスク装置１０７で、ディスク状記録媒体１０８からデータの読み出しが行われると、ＬＥＤ１１５は、ＣＰＵ１０１からのコントロールによって点灯、もしくは点滅を開始し、使用者にディスクアクセス中であることを知らせる。このＬＥＤ１１５の点灯、もしくは点滅は、ディスク状記録媒体１０８からのデータの読み出しが終了するまで行ってもよいし、一定の期間で終了させてもよい。また、このＬＥＤ１１５の配置場所は、バッテリー１１６や後述するバッテリー取り外しボタン１１７の近辺であるほうが効果が高いと考えられる。
【００５４】
１１７は、上記バッテリー１１６を取り外す時に使用者によって押下される、バッテリー取り外しボタンである。
【００５５】
ディスク装置１０７でディスク状記録媒体１０８からデータの読み出しが行われると、ＣＰＵ１０１からのコントロールによって、データの読み出しが終了するまでバッテリー取り外しボタン１１７がロックされ、ディスクアクセス中のバッテリー取り外しを防止する。
【００５６】
なお、ＬＥＤ１１５による警告表示やバッテリー取り外しボタン１１７のロック動作は、使用者がメニュー等で自由にオン／オフ切り替えられるようにしてもよい。
【００５７】
次に図４にディスクアクセス中警告の表示例を示し、表示部１１８とスピーカー部１０６を使用した警告例を説明する。
【００５８】
４０１は、ディスクアクセス中に出す警告文の表示例である。
【００５９】
４０２は、装置本体がバッテリーで駆動している場合に出す警告文の表示例である。
【００６０】
４０３は、装置本体がコンパクトアダプターで駆動している場合に出す警告文の表示例である。
【００６１】
ディスク装置１０７でディスク状記録媒体１０８からデータの読み出しが行われる際、ＣＰＵ１０１はＲＡＭ１０２に予め記憶させておいた文字データから、現在ディスク状記録媒体１０８にアクセス中であることを示す警告文４０１を読み出し、表示部１１８に表示させる。更に、バッテリー１１６を検出し、装置本体がバッテリーで駆動している場合は警告文４０２の文字データを表示部１１８に表示させ、コンパクトアダプターで駆動している場合は警告文４０３の文字データを表示部１１８に表示させる。上記警告文４０１と４０２（または４０３）は、交互に表示させてもよいし、どちらか片方だけを表示させてもよい。また、スピーカー部１０６から警告音を出すことにより、表示と音の両方で使用者に警告を通知することが可能となる。
【００６２】
更に、上記警告文の文字データだけでなく、音声データもＲＡＭ１０２に予め記憶させておき、表示部１１８に警告文を表示するとともに、スピーカー部１０６で例えば「ディスクアクセス中です」などの音声を再生させることによって、より効果の高い警告を通知することが可能となる。
【００６３】
なお、表示部１１８による警告表示や、スピーカー部１０６による警告音、もしくは音声警告出力は、使用者がメニュー等で自由にオン／オフ切り替えられるようにしてもよい。
【００６４】
以上のように、ディスクから管理データを読み出している間は警告を出すことにより、ディスクアクセス中の振動や、バッテリーもしくはコンパクトアダプターを取り外されてしまうことによる誤動作を無くすことが可能となる。
【００６５】
次に図５に基づいて、本実施形態のディスクカムコーダで、本体の電源ＳＷがオフの状態で交換されたディスク状記録媒体が記録することが不可能なディスク状記録媒体だった場合の動作について説明する。図５のフローは、図２におけるステップＳ２０４の処理に引き続いて行われる。
【００６６】
[ステップＳ５０１]：ディスク装置１０７で、現在装着されているディスク状記録媒体１０８から管理データの読み出しが終了する。
【００６７】
[ステップＳ５０２]：ＣＰＵ１０１は、ＲＡＭ１０２内の管理データ読み出し完了フラグをセットする。
【００６８】
[ステップＳ５０３]：ＣＰＵ１０１によって読み出された管理データの解析が行われる。管理データを解析した結果、ディスク状記録媒体１０８が記録する事が不可能なディスクだった場合は[ステップＳ５０４]へ遷移する。記録する事が可能なディスクだった場合は、ＣＰＵ１０１はディスク状記録媒体１０８から管理データを読み出すために必要だったブロック(ディスク装置１０７等)を終了させ、ＤＣ／ＤＣコンバータ１１９をコントロールしてディスク装置１０７等への電力の供給を終了させ、通常のパワーオフモードへ戻す（ステップＳ５０６）。
[ステップＳ５０４]：交換されたディスク状記録媒体１０８が、記録することが不可能なディスクであるということを使用者に知らせるために、警告を出す。
【００６９】
警告の方法は、ＬＥＤ１１５を使用したものでもよいし、表示部１１８に文字表示をして行ってもよい。また、スピーカー部１０６を使用した音によるものでもよい。また、上記の組み合わせで警告を行うことも可能である。
【００７０】
更に、管理データが読み出せない等のエラーディスクだった場合は、当該ディスクをイジェクトする方法も考えられる。
【００７１】
その後、ディスクが交換されてから所定時間（数秒〜数分）経過したか否かを判別し（ステップＳ５０５）、経過していた場合にはＳ５０６に進んで通常のパワーオフモードへ戻す。また、Ｓ５０５で時間経過していない場合には、ディスクが交換されたか否かを判別し（ステップＳ５０７）、交換されていた場合には図２のステップＳ２０２へ戻る。また、交換されていない場合にはＳ５０５に戻る。
【００７２】
以上のように、ディスク状記録媒体から管理データを読み出した結果、現在装着されているディスク状記録媒体は記録することが不可能なディスクと判別できた場合は、カムコーダ１００の電力供給を停止する前に警告を出すことによって、使用者はその場で記録不可能なディスクであることを認識できるので、記録可能なディスク状記録媒体と交換することが可能となる。
【００７３】
次に図６に基づいて、ディスク状記録媒体が装着された状態で、本体の電源ＳＷがオンされた場合の動作について説明する。
【００７４】
[ステップＳ６０１]：電源ＳＷが使用者によってオンされる。
【００７５】
[ステップＳ６０２]：ＣＰＵ１０１はＤＣ／ＤＣコンバータ１１９をコントロールしてビデオ／オーディオデータ処理部１０４、表示部１０５、スピーカー部１０６、ディスク装置１０７の各ブロックへ電力を供給させ、ディスクカムコーダを通常起動させる。
【００７６】
[ステップＳ６０３]：ＣＰＵ１０１は現在ディスク装置１０７に装着されているディスク状記録媒体１０８にアクセスしながら、ＲＡＭ１０２に記憶されている管理データを確認する。
【００７７】
[ステップＳ６０４]：管理データを確認した結果、現在ディスク装置１０７に装着されているディスク状記録媒体１０８が記録することが不可能なディスク状記録媒体であった場合は[ステップＳ６０５]へ遷移し、記録することが可能なディスク状記録媒体であった場合は[ステップＳ６０６]へ遷移する。
【００７８】
[ステップＳ６０５]：現在ディスク装置１０７に装着されているディスク状記録媒体１０８が、記録することが不可能なディスクであるということを使用者に知らせるために、警告を出す。その後、再生準備状態となる。
【００７９】
警告の方法は、ＬＥＤ１１５を使用したものでもよいし、表示部１１８に文字表示をして行ってもよい。また、スピーカー部１０６を使用した音によるものでもよい。また、上記の組み合わせで警告を行うことも可能である。
【００８０】
[ステップＳ６０６]：ＲＡＭ１０２に記憶されている管理データを表示部１０５に表示し、現在ディスク装置１０７に装着されているディスク状記録媒体１０８に記録されているデータ数や、残りの容量等を使用者に通知する。この間、ピックアップ１１０の光ビームパワーの調整処理を行い、その後、記録または再生準備状態となる。
【００８１】
以上のように、本実施形態によれば、電源オフ中にディスクの交換がなされた場合に、管理データを読み出して内蔵のメモリに記憶した後電源をオフにしておくことで、次に本体の電源がオンされた時に、メモリに記憶されている管理データを確認することによって、ディスク状記録媒体からの管理情報の読み出しが完了するのを待つことなく、ディスクの状態を認識することができる。そのため、起動時間の短縮につながる。また、電源オフ中にディスク交換がなされ、交換後のディスク状記録媒体が記録することが不可能なディスク状記録媒体だった場合は、警告を出すことにより、使用者が記録することが不可能なディスク状記録媒体のまま間違って記録操作を行わないようにすることが可能となる。
【００８２】
また、電源オフ中にディスク交換がなされなかった場合には、前回電源オフしたときに装着されていたディスクの管理データをそのまま内蔵メモリに記憶しておくので、同様に起動時間を速くできる。
【００８３】
次に図７に記録不可ディスク警告の表示例を示し、表示部１１８とスピーカー部１０６を使用した警告例を説明する。
【００８４】
７０１は、装着されているディスク状記録媒体がディスクフル状態で、これ以上記録ができない場合に出す警告文の表示例である。
【００８５】
７０２は、装着されているディスク状記録媒体がファイナライズされている場合に出す警告文の表示例である。
【００８６】
７０３は、装着されているディスク状記録媒体がデータの読み出しが行えないエラーディスクの場合に出す警告文の表示例である。
【００８７】
ディスク装置１０７でディスク状記録媒体１０８からデータの読み出しを行った結果、現在装着されているディスク状記録媒体１０８がディスクフル状態で、これ以上記録することが不可能なディスクと判別された場合、ＣＰＵ１０１はＲＡＭ１０２に予め記憶させておいた文字データから、ディスクフルであることを示す警告文７０１を読み出し、表示部１１８に表示させる。また、装着されているディスク状記録媒体１０８がファイナライズされているディスクだった場合は、警告文７０２の文字データを表示部１１８に表示させる。また、装着されているディスク状記録媒体１０８がデータの読み出しが行えないエラーディスクの場合は警告文７０３の文字データを表示部１１８に表示させる。また、スピーカー部１０６から警告音を出すことにより、表示と音の両方で使用者に警告を通知することが可能となる。
【００８８】
更に、上記警告文の文字データだけでなく、音声データもＲＡＭ１０２に予め記憶させておき、表示部１１８に警告文を表示するとともに、スピーカー部１０６で例えば「このディスクはファイナライズされています」などの音声を再生させることによって、より効果の高い警告を通知することが可能となる。
【００８９】
なお、上記表示部１１８による警告表示や、スピーカー部１０６による警告音、もしくは音声警告出力は、使用者がメニュー等で自由にオン／オフ切り替えられるようにしてもよい。
【００９０】
次に図８に基づいて、本実施形態のディスクカムコーダにおいて、前述の如く警告を行なっているにも拘わらず、ディスク状記録媒体の管理データを読み出し中にバッテリーもしくはコンパクトアダプターが外された場合に、その後、再びバッテリーが装着された場合の管理データ読み出し再開動作について説明する。なお、図８のフローチャートのステップＳ８０１からの動作は、図２のＳ２０２からＳ２０７までの間にバッテリーもしくはコンパクトアダプターが一旦外され、再び装着された時点からの動作を示すものである。
【００９１】
[ステップＳ８０１]：使用者によってバッテリー、もしくはコンパクトアダプターが再び装着される。
【００９２】
[ステップＳ８０２]：ＣＰＵ１０１はＲＡＭ１０２内に記憶してある管理データ読み出し完了フラグを確認する。
【００９３】
[ステップＳ８０３]：ＣＰＵ１０１は、前記管理データ読み出し完了フラグがセットされている場合は本体を通常のパワーオフモードにする（ステップＳ８０６）。フラグがセットされていない場合は[ステップＳ８０４]へ遷移する。
【００９４】
[ステップＳ８０４]：ＣＰＵ１０１は、ＲＡＭ１０２内に記憶してある電源が遮断される直前に読み出していた管理データのアドレスを確認する。
【００９５】
[ステップＳ８０５]：ＣＰＵ１０１は、ＤＣ／ＤＣコンバータ１１９をコントロールし、ディスク状記録媒体１０８から管理データを読み出すために必要最低限なブロック(ディスク装置１０７等) に電力を供給させてディスク装置１０７等を起動させ、制御部１１３経由でピックアップ部１１０をコントロールして[ステップＳ８０４]で確認したアドレスの続きから管理データの読み出しを再開する。これ以降の処理は、図２のＳ２０５以降の処理と同様である。
【００９６】
以上のように、管理データの読み出し中にバッテリーもしくはコンパクトアダプターの挿抜がなされた場合は、記憶されているアドレスの続きから管理データの読み出しを再開することによって、最初から読み出す必要がなくなり、使用可能状態になるまでの時間を短縮することが可能となる。
【００９７】
次に図９に基づいて、本実施形態のディスクカムコーダで、ディスク状記録媒体の管理データ読み出し中に本体の電源ＳＷがオンされた場合の動作について説明する。図９の処理は、図２のＳ２０２からＳ２０７までの間に電源ＳＷがオンとなった場合に実行される。
【００９８】
[ステップＳ９０１]：ディスク装置１０７でディスク状記録媒体１０８から管理データ読み出し中に、使用者によって電源ＳＷがオンされる。
【００９９】
[ステップＳ９０２]：ＣＰＵ１０１はＤＣ／ＤＣコンバータ１１９をコントロールしてビデオ／オーディオデータ処理部１０４、表示部１０５、スピーカー部１０６の各ブロックへ電力を供給させ、ディスクカムコーダを通常起動させる。
【０１００】
[ステップＳ９０３]：ディスク状記録媒体１０８にアクセスしていることを使用者に知らせるために、警告を出す。なお、警告の方法は、ＬＥＤ１１５を使用したものでもよいし、表示部１１８に文字表示をして行ってもよい。また、スピーカー部１０６を使用した音によるものでもよい。更に、上記の組み合わせで警告を行うことも可能である。
【０１０１】
[ステップＳ９０４]：ディスク状記録媒体１０８から当該ディスクの管理データの読み出しが終了したらディスクカムコーダを記録または再生待機状態にする。
【０１０２】
以上のように、管理データの読み出し中にディスクカムコーダ本体の電源ＳＷがオンされた場合でも、管理データの読み出しを継続しつつ起動動作を行い、管理データの読み出しを中止させないことによって、管理データの読み出しを最初からやりなおす必要がなくなり、使用可能状態になるまでの時間を短縮することが可能となる。
【０１０３】
以上説明したように、上記の実施形態によれば、本体の電源ＳＷがオフの状態であっても、ディスク状記録媒体の交換が検出された場合は、ディスクの管理データを読み出し、バッファメモリに記憶することによって、次回本体の電源ＳＷがオンされた時のディスクからの読み出し動作を無くすことができ、電源ＳＷオンから起動完了までの時間が短縮され、使用者がすぐに使用することが可能となる。
【０１０４】
更に、ディスク状記録媒体から管理データを読み出している間は警告を出すことにより、ディスクアクセス中の振動等による誤動作を無くすことが可能となる。
【０１０５】
更に、ディスク状記録媒体から読み出した管理データを解析した結果、交換されたディスクが記録することが不可能なディスクだった場合は警告を出すことにより、使用者がその場で記録可能なディスクと交換することができ、次回電源ＳＷオン時にすぐに使用可能となり、使用者のストレス軽減につながる。
【０１０６】
更に、本体の電源ＳＷがオンされた時には装着されている前記ディスク状記録媒体にはアクセスせず、バッファメモリを確認し、現在装着されているディスクが記録することが不可能なディスクだった場合は警告を出すことにより、ディスクからの無駄な読み出し動作が省略され、起動時間の短縮につながる。また、使用者が記録することが不可能なディスクのまま間違って記録操作を行わないようにすることが可能となる。
【０１０７】
更に、ディスク状記録媒体から読み出した管理データは常にバックアップしておき、本体への電力が一度遮断され、その後再び供給された場合は、電力遮断時までに読み出した続きから管理データの読み出しを再開することにより、不慮の事故等で電力が遮断された場合、その後再び供給された時に、管理データを最初から読み出す必要がなくなり、使用可能状態になるまでの時間を短縮することが可能となる。
【０１０８】
更に、管理データの読み出し中にディスクカムコーダ本体の電源ＳＷがオンされた場合でも、管理データの読み出しを継続しつつ起動動作を行い、管理データの読み出しを中止させないことにより、管理データの読み出しを最初からやりなおす必要がなくなり、使用可能状態になるまでの時間を短縮することが可能となる。
【０１０９】
なお、上記の実施形態では、ディスク状記録媒体のローディング機構は純粋にメカ的なローディング機構を想定して説明したが、例えばイジェクトボタンを押すことにより自動的にディスク蓋が開く、あるいはディスクが自動的に引き込まれる等のオートローディングの場合でも、電源ＳＷがオフの場合に、ＣＰＵ１０１がイジェクトボタンがＯＮされたことを検出し、ＤＣ／ＤＣコンバータ１１９にオートローディング機構に給電する指示を出すことにより、上記の実施形態と同様の動作を行なわせることが可能である。オートローディングの場合でも、エジェクトボタンが押されて初めてオートローディング機構に給電されるようにしておけば、無駄な電力の消費を抑制することができる。
【０１１０】
上記の実施形態によれば、ディスク状記録媒体を交換した際にも電源投入後の起動時間を短くし、迅速に記録可能な状態にすることが可能となる。
【０１１１】
なお、図５、図６の処理において、交換後のディスクが記録可能なディスクであるか否かを判別していたが、これだけでなく、再生可能なディスクであるか否かということも併せて判別し、再生不能ディスクであった場合にその旨を警告する構成とすることも可能である。
【０１１２】
（他の実施形態）
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【０１１３】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０１１４】
本発明を上記記憶媒体に適用する場合、その記憶媒体には、先に説明した手順に対応するプログラムコードが格納されることになる。
【図面の簡単な説明】
【０１１５】
【図１】本発明を適用したディスクカムコーダの一実施形態の概略構成を示すブロック図である。
【図２】一実施形態のディスクカムコーダの処理を示すフローチャートである。
【図３】一実施形態のディスクカムコーダの背面図である。
【図４】ディスクアクセス中警告の表示例を示す図である。
【図５】一実施形態のディスクカムコーダの処理を示すフローチャートである。
【図６】一実施形態のディスクカムコーダの処理を示すフローチャートである。
【図７】記録不可ディスク警告の表示例を示す図である。
【図８】一実施形態のディスクカムコーダの処理を示すフローチャートである。
【図９】一実施形態のディスクカムコーダの処理を示すフローチャートである。
【符号の説明】
【０１１６】
１０１  ＣＰＵ
１０２  ＲＡＭ
１０３  電源ＳＷ
１０４  ビデオ／オーディオデータ処理部
１０５  表示部
１０６  スピーカー部
１０７  ディスク装置
１０８  ディスク状記録媒体
１０９  ディスクモータ
１１０  ピックアップ部
１１１  ディスク交換検出部
１１２  ＲＦアンプ
１１３  制御部
１１４  ディスク信号処理部
１１５  ＬＥＤ
１１６  バッテリー
１１７  バッテリー取り外しボタン
１１８  表示部
１１９  ＤＣ／ＤＣコンバータ
４０１  ディスクアクセス中の警告例
４０２  バッテリー使用時の警告例
４０３  コンパクトアダプター使用時の警告例
７０１  ディスクフル時の警告例
７０２  ファイナライズされたディスク時の警告例
７０３  エラーディスク時の警告例
【図１】
2006120304.tif 000003
【図２】
2006120304.tif 000004
【図３】
2006120304.tif 000005
【図４】
2006120304.tif 000006
【図５】
2006120304.tif 000007
【図６】
2006120304.tif 000008
【図７】
2006120304.tif 000009
【図８】
2006120304.tif 000010
【図９】
2006120304.tif 000011